(57)【要約】【課題】    部品点数および組立工数等を削減し、かつ小型化、低背化等を図ったスイッチングトランスを提供する。【解決手段】    コイルボビン２にコイル４が巻装され、ピン端子８が植設されたトランス本体１、１Ａと、このトランス本体１、１Ａを収納するトランス本体収納部１３、１３Ａが形成されたケース側コア９、９Ａ、９Ｂと、このケース側コア９、９Ａ、９Ｂの上部に取り付けられ、前記トランス本体１、１Ａの上部を覆う上側コア１４、１４Ａとを備えた構成とした。そして、トランス本体の外側に配設されるシールドケースおよび収納ケースを省き、コアをシールドケース、収納ケースとした。【選択図】    図１
2005045093.tif 000002
【特許請求の範囲】
【請求項１】
コイルボビン（２）にコイル（４）が巻装され、かつピン端子（８）が植設されたトランス本体（１、１Ａ）と、このトランス本体（１、１Ａ）を収納するトランス本体収納部（１３、１３Ａ）が形成されたケース側コア（９、９Ａ、９Ｂ）と、このケース側コア（９、９Ａ、９Ｂ）の上部に取付けられ、前記トランス本体収納部（１３、１３Ａ）に収められたトランス本体（１、１Ａ）の上部を覆う上側コア（１４、１４Ａ）とを備えてなることを特徴とするスイッチングトランス。
【請求項２】
請求項１記載において、前記コイルボビン（２）のフランジ（５、５A）の両端部に端子台（７、７Ａ）が形成され、この端子台（７、７Ａ）に前記ピン端子（８、８Ａ）が植設され、前記上側コア（１４、１４Ａ）は前記端子台（７、７Ａ）間を覆い、前記端子台（７、７Ａ）の上面およびピン端子（８、８Ａ）は外部に露出していることを特徴とするスイッチングトランス。
【請求項３】
請求項１または２記載において、前記トランス本体（１、１Ａ）が収納された前記トランス本体収納部（１３、１３Ａ）に樹脂が充填されることを特徴とするスイッチングトランス。
【発明の詳細な説明】
【技術分野】
【０００１】
この発明は民生用の電子機器に用いられるスイッチングトランスに関する。
【背景技術】
【０００２】
近年、各種機器は省スペース化が要求され、それに伴い小型化、低背化等の傾向にあり、今後益々その傾向は強い。
【０００３】
低背型志向の機器、例えばＤＶＤホームシアター、液晶ＴＶ、ＰＤＰ、モバイルパソコン用ＳＷＡＤ、などが今後需要の主流となると考えられる。それに伴いスイッチング電源も当然低背を求められる。スイッチング電源を低背化しようとするとどうしてもスイッチングトランスがネックとなる。
【０００４】
スイッチングトランスは種々のタイプのものが存在するが、低背型タイプとしては本願出願人によって先に図５に示す低背型スイッチングトランスが提案されている。
【０００５】
この低背型スイッチングトランスは、コイル２０とピン端子２１が植設されたコイルボビン２２と一対の磁気コア２３とを備えたトランス本体２４と、このトランス本体２４を覆う収納ケース２５と、この収納ケース２５の内面に設けられ、前記トランス本体２４を覆う導体からなるシールドケース２６と、トランス本体２４が設けられた前記収納ケース２５に注入された樹脂２６とから構成されている。
【特許文献１】特願２００３−４０５４５
【発明の開示】
【発明が解決しようとする課題】
【０００６】
スイッチングトランスは音響機器の電源用として用いた場合、この電源からは可聴範囲の周波数を含むノイズが発生し、発生したノイズは音響機器に影響を与える。
【０００７】
このノイズはトランスから多く発生するため、トランスからのノイズを防ぐためにシールドケース２６、収納ケース２５等を設けた構成としており、大容量のトランスの場合、上記スイッチングトランスは優れている。
【０００８】
しかし、小容量で良い場合、シールドケース２６、収納ケース２５等は必ずしも必要ではない。また、シールドケース２６、収納ケース２５がなければそれだけ小型化、低背化を図ることができる。
【０００９】
本発明はこのことに鑑み提案されたもので、その目的とするところは、部品点数および組立工数等を削減し、かつ小型化、低背化等を図ったスイッチングトランスを提供することにある。
【課題を解決するための手段】
【００１０】
請求項１記載の発明によれば、コイルボビン２にコイル４が巻装され、かつピン端子８が植設されたトランス本体１、１Ａと、このトランス本体１、１Ａを収納するトランス本体収納部１３、１３Ａが形成されたケース側コア９、９Ａ、９Ｂと、このケース側コア９、９Ａ、９Ｂの上部に取付けられ、前記トランス本体収納部１３、１３Ａに収められたトランス本体１、１Ａの上部を覆う上側コア１４、１４Ａとを備えた構成とし、上記目的を達成している。
【００１１】
請求項２記載の発明によれば、上記請求項１記載のものにおいて、前記コイルボビン２のフランジ５、５Aの両端部に端子台７、７Ａが形成され、この端子台７、７Ａに前記ピン端子８、８Ａが植設され、前記上側コア１４、１４Ａは前記端子台７、７Ａ間を覆い、前記端子台７、７Ａの上面およびピン端子８、８Ａは外部に露出させた構成としている。
【００１２】
また、請求項１または２記載において、前記トランス本体１、１Ａが収納された前記トランス本体収納部１３、１３Ａに樹脂を充填する構成としている。
【発明の効果】
【００１３】
請求項１記載の発明によれば、開口部を有するケース側のコア９、９Ａ、９Ｂと、その開口部側に被せられる蓋としての機能も有する上側コア１４、１４Ａとの中にトランス本体１、１Ａを収納し、トランス本体１、１Ａをコアによって覆うようにしたため、シールド部材や収納ケースが不要となり、その分、材料費を削減し得、かつ組立も容易に行うことができ、小型化、低背化を図ることができる。
【００１４】
請求項２記載の発明によれば、絶縁性の樹脂からなる端子台７、７Ａに植設されたピン端子８、８Ａを介し取付面に容易に実装することができる。
【００１５】
請求項３記載の発明によれば、トランス本体１、１Ａの絶縁を確実に行うことができる。
【発明を実施するための最良の形態】
【００１６】
この発明は、トランス本体を収納するシールドケースおよび収納ケースを省き、コアをシールドケース、収納ケースとして用いたことに特徴を有している。
【００１７】
以下、本発明の実施の形態を図面に基づいて説明する。
【実施例１】
【００１８】
図１は本発明の一実施例の分解斜視図、図２は組立斜視図を示す。
【００１９】
図中１はトランス本体で、このトランス本体１は、必要に応じ適形状に成形された絶縁性の樹脂からなるコイルボビン２と、このコイルボビン２の巻胴部３の外周に巻装されたコイル４とを備えて構成されている。
【００２０】
コイルボビン２の巻胴部３の両端にそれぞれ外形が例えばほぼ弧状をなす上側フランジ５、下側フランジ６が形成され、上側フランジ５の両端部には肉厚の端子台７がそれぞれ一体形成され、この端子台７の上面には適間隔でもって複数本のピン端子８が植設されている。また、巻胴部３の外周に巻装されたコイル４の引出線（図示せず）は、周知のように、コイルボビン２に形成された引出溝（図示せず）を介し所定のピン端子の根元に絡げ付けられ、半田付け接続され、これによってトランス本体１が構成される。
【００２１】
９はフェライトの成形品からなるケース側コアで、トランス本体１が載置される底板１０の中央部には中足１１が形成され、かつ底板１０の周囲には図示の状態において上方に立上がった周壁１２が形成され、中足１１と周壁１２との間の空間部分がトランス本体収納部１３となっている。
【００２２】
この例では、中足１１はコイルボビン２の巻胴部３の中空部分と対応して円柱状に形成されている。また、トランス本体収納部１３はコイルボビン２の上下のフランジ５、６および端子台７を内部に収納し得るようそれらの外形とほぼ対応した形状に形成されている。
【００２３】
１４は上側コアで、ケース側コア９と同様の材質からなり、かつケース側コア９の開口部の上方に設けられる。
【００２４】
この上側コア１４は例えば矩形の板状に形成され、ケース側コア９内に収納されたトランス本体１の各端子台７の間であって上側フランジ５の上部を覆うように設けられる。この場合、上側フランジ５が被せられ、当接されるケース側コア９の周壁１４に、これと対応する上側フランジ１４の下部との間に接着剤（図示せず）が塗布され、上側コア１４とケース側コア９とが一体化される。
【００２５】
トランス本体１のコイル４および上下のフランジ５、６は、ケース側コア９および上側コア１４によって覆われ、ケース側コア９および上側コア１４はシールドケース兼収納ケースとして機能する。
【００２６】
組立てにあたっては、ケース側コア９のトランス本体収納部１３内に、別途予め組立てられたトランス本体１を収納し、かつエポキシ樹脂の如き樹脂を充填する。樹脂を充填、硬化後、上側コア１４を接着剤を介してケース側コア９の周壁１２の上部に取り付ければ、僅かな組立工数でもって容易にスイッチングトランスを組立てることができる。なお、中足１１と被せられた上側コア１４との間には周知のように適間隔の磁気ギャップが設けられる。また、端子台７、７Ａの上面は、取付面への実装を考慮し上側コア１４の上面より突出している。
【００２７】
上述の説明において、ケース側コア９にトランス本体１を収納後に樹脂を充填する場合について説明したが、トランス本体収納後に上側コア１４を被せ、内部に樹脂を真空充填するようにしても良い。この場合、空気の混入を防ぎ、トランス本体１を確実に絶縁することができる。
【００２８】
また、コイル４の電線として三層電線を用い、樹脂充填を省略しても良い。
【００２９】
また、規格によってはコイル４の電線を通常の電線とし、樹脂の充填を省略しても良い。
【００３０】
さらに、トランス本体１やケース側コア９、上側コア１４の形状は上述の図１および図２の図示例に限らず、例えば図３に示すように、トランス本体１Ａを平面から見てほぼ長円形とし、そのトランス本体１Ａを収納可能なトランス本体収納部１３Ａを有するケース側コア９Ａにトランス本体１Ａを収納し、トランス本体１Ａの端子台７Ａの上面を露出させる切欠き１４ａが形成された板状の上側コア１４Ａを被せた構成としても良い。
【００３１】
また、図４に示すように、ケース側コア９Ｂの外形およびトランス本体収納部１３Ｂを長円形としたり、その他必要に応じた適形状に形成し、それらに組み込まれるトランス本体や上側ケースもそれに対応した形状としても良い。
【産業上の利用可能性】
【００３２】
この発明は、ＤＶＤホームシアター、液晶ＴＶ、ＰＤＰ、モバイルパソコン用ＳＷＡＤ等に利用可能である。
【図面の簡単な説明】
【００３３】
【図１】本発明の実施例１の分解斜視図を示す。
【図２】同実施例１の組立斜視図である。
【図３】本発明の他の実施例の分解斜視図である。
【図４】本発明のさらに他の実施例のケース側コアの斜視図である。
【図５】先行技術の断面図を示す。
【符号の説明】
【００３４】
１、１Ａ・・・トランス本体
２・・・コイルボビン
３・・・巻胴部
４・・・コイル
５、５Ａ・・・上側フランジ
６・・・下側フランジ
７、７Ａ・・・端子台
８・・・ピン端子
９、９Ａ、９Ｂ・・・ケース側コア
１０・・・底板
１１・・・中足
１２・・・周壁
１３、１３Ａ、１３Ｂ・・・トランス本体収納部
１４、１４Ａ・・・上側コア
【図１】
2005045093.tif 000003
【図２】
2005045093.tif 000004
【図３】
2005045093.tif 000005
【図４】
2005045093.tif 000006
【図５】
2005045093.tif 000007